(57)【要約】【課題】  部品点数が少なく、簡単な構造で、安価であって、確実な施錠を可能とし、キーを解錠方向に回動させるだけで、その後は、指をキーから放して前面枠を本体枠に対し開くことができるといった解錠操作が容易で、然も、遊技機の前面枠と本体枠との間隙を利用した各種の不正操作具では解錠することが困難で防犯性が高い施錠装置を提供する。【解決手段】  遊技機の前面枠に取り付けられる取付板２から起立した支持板３の内側に回動可能に軸支された一対の鉤部材６、７が上下に摺動可能な連結杆８で連結され、鉤部材には、本体枠に取り付けられる受け金具との当接部が形成され、一方の鉤部材６には、さらに、滑合部６ｄとこれに隣接した直線状傾斜縁を有する係合部６ｃが形成され、前記滑合部を圧接する圧接部１２ａとこれに隣接した鉤部材の回動を施錠時にロックする直線状傾斜縁を有する係止部１２ｂとが形成されたロック部材１２とを具備する。【選択図】  図２
2008011881.tif 000002
【特許請求の範囲】
【請求項１】
縦長の取付板の側方に支持板が起立した基枠体の内側で、前記支持板の上部と下部に設けられた支軸を中心に回動可能に軸支された一対の板状の鉤部材が、前記支持板に沿って上下に摺動可能とされた連結杆の上下端部に連結され、前記取付板の中間部にシリンダ錠が取り付けられ、該シリンダ錠の錠軸に固定されたカム板が、前記連結杆と前記支持板との間で支持板に沿って上下に摺動可能とされて前記鉤部材の回動をロックする板状のロック部材のカム板用係合部に係合可能とされ、前記連結杆と前記ロック部材の間に引張バネが掛止され、前記取付板が本体枠に対し開閉可能とされた前面枠に取り付けられ、前記鉤部材の掛部と本体枠に取り付けられた受け金具を係合することで施錠される遊技機の施錠装置であって、
前記一対の鉤部材の掛部に連続して前記受け金具と当接する当接部が形成されるとともに、
前記鉤部材の一方には、前記ロック部材の係止部と係合する係合部と該係合部に隣接して滑合部が形成されており、
前記ロック部材には、施錠に際し前記鉤部材の係合部が前記係止部と係合するまで前記滑合部を圧接したまま滑動させる圧接部が前記係合部に隣接して形成されてなることを特徴とする遊技機の施錠装置。
【請求項２】
前記ロック部材の係止部は、直線状傾斜縁を有しており、前記鉤部材の係合部は、前記ロック部材の係止部の直線状傾斜縁と合致して係合する直線状傾斜縁を有していることを特徴とする請求項１記載の遊技機の施錠装置。
【請求項３】
前記鉤部材の滑合部が前記支軸を中心とする所定半径の円弧状凸部であり、前記ロック部材の圧接部が前記滑合部が滑合する同半径の円弧状凹部であることを特徴とする請求項１または２記載の遊技機の施錠装置。
【請求項４】
前記受け金具が円柱状ピンであって、前記鉤部材の掛部が前記受け金具を係止するＵ字形状とされていることを特徴とする請求項１、２または３記載の遊技機の施錠装置。
【請求項５】
前記支持板の上下部には、前記受け金具を受け入れる凹部が形成されていることを特徴とする請求項１、２、３または４記載の遊技機の施錠装置。
【発明の詳細な説明】
【技術分野】
【０００１】
この発明は、遊技機の前面枠を本体枠に対し施錠させる施錠装置に関するものである。さらに詳しくは、この発明は、パチンコ、パチスロ、スロットマシン、スマートボール、アレンジボール等に例示される遊技機の前面枠を本体枠に対し施錠したり解錠したりするのに好適な施錠装置に関するものである。
【背景技術】
【０００２】
遊技機の前面枠は、一端が蝶番で本体枠に固定され、他端は自由端とされて本体枠に対し回動可能となっており、前面枠の自由端の背面に、本体枠に設けられた受け金具との施錠を可能とする施錠装置が取り付けられている。
【０００３】
このような施錠装置を採用した遊技機においては、解錠のためのキーを用いない何らかの不正な方法、例えば、前面枠と本体枠との間の僅かな隙間を利用して、先端にフックが形成された帯状で薄い鋼板や先端が折り曲げられてフックが形成されたピアノ線のような操作具を挿入し、キーを用いないで受け金具との施錠を解除し、蝶番を支点として前面枠を開き、前面枠の背面に配設された機器や部品を改変したり、遊技機の勝率を制御するＲＯＭを勝率の高い裏ＲＯＭと交換するといった不正操作を行うことができないようにし、防犯性を高めることが行われている（例えば、特許文献１参照）。
【０００４】
特許文献１に記載の施錠装置は、縦長の取付板の側方に支持板が起立した基枠体の内側で、上下部に鉤部が形成された施錠杆が第１引張バネで付勢されて、前記支持板の長手方向に沿って摺動可能とされ、前記取付板の中間部にシリンダ錠が取り付けられ、該シリンダ錠の錠軸に固定されたカム板が施錠杆の係合部と係合可能とされ、前記取付板が本体枠に対し開閉可能とされた前面枠に取り付けられ、前記鉤部が本体枠に取り付けられた受け金具に係合することで施錠される遊技機の施錠装置において、一方の受け金具との当接用の傾斜縁と施錠杆とのロック爪が形成されたロック部材が、第２引張バネで付勢されて、前記施錠杆と前記支持板の間で摺動可能に配設され、前記施錠杆に前記ロック爪と係合する係止部が形成され、前記ロック部材との当接部と前記カム板との係合部が形成されたロック解除部材が、前記施錠杆と前記支持板の間で摺動可能に配設されてなるものである。
この特許文献１に記載の施錠装置において、例えば、不正に解錠をするには、ロック部材のロック爪が施錠杆の係止部に係合された施錠杆のロック状態を解除させる操作具と、施錠杆を支持板に沿って摺動させて鉤部と受け金具との係合を解除させる操作具といった２種類の操作具を、前面枠と本体枠との間隙から挿入し、一方の操作具で施錠杆のロック状態の解除と、他方の操作具で施錠杆の摺動とをほぼ同時平行的に行わねばならず、防犯性は高い。
【特許文献１】特開２００２−５８８４６号公報
【発明の開示】
【発明が解決しようとする課題】
【０００５】
ところで、特許文献１に記載の施錠装置は、解錠において、先ず、キーを操作してカム板を解錠方向に回動させて、カム板をロック解除部材の係合部と係合させ、ロック解除部材を摺動させ、ロック解除部材の当接部によって第２引張バネの付勢力に抗してロック爪と施錠杆の係止部との係合を解除させて、施錠杆を摺動可能とする。そして、さらに、カム板を解錠方向に回動させて、施錠杆の係合部と係合させ、施錠杆を第１引張バネの付勢力に抗し支持板に沿って摺動させ、鉤部と受け金具との係合を解除させるといったキー操作が必要となる。
【０００６】
このように解錠には、第２引張バネ、次いで、第１引張バネの付勢力に抗してキーを操作し、前面枠が本体枠に対しある程度開いて、キーによる解錠操作を解除しても鉤部と受け金具の係合がなされなくなるまで第１引張バネの付勢力に抗した力をキーに与え続けて解錠状態を維持する必要があり、点検等のため遊技場に設置された多数の遊技機を解錠するには、手、指等への負担が大きくる。
【０００７】
また、この施錠装置では、ロック部材、ロック解除部材、第２引張バネ、第１引張バネといった受け金具との施錠のための部品点数が多く、また、支持板と施錠杆の間にロック部材、ロック解除部材を配設する必要がある等構造が複雑であって、高コストとなる。
【０００８】
また、施錠に際しては、鉤部の傾斜縁を受け金具に当接させ、第１引張バネの付勢力に抗し施錠杆を摺動させ、次いで、鉤部の傾斜縁が受け金具を乗り越え、第１引張バネの付勢力で施錠杆を施錠位置に戻すことになるが、そのためには、前面枠を大きな力で閉鎖させる必要があり、衝撃や騒音が発生しやすく、さらに、鉤部の傾斜縁と受け金具の当接を繰り返すと両者の摩耗が大きい。そして、施錠は、施錠杆の係止部にロック部材のロック爪が係合することで行われる構造であることから、前面枠を本体枠に対し強く閉鎖すると、その時の衝撃で施錠杆の係止部とロック部材のロック爪との係合が稍不安定となる恐れがある。
【０００９】
この発明は、上記のような実情に鑑み鋭意研究の結果創案されたものであり、部品点数が少なく、簡単な構造で、確実な施錠を可能とし、キーを解錠方向に回動させるだけで解錠できて、その後は、指をキーから放しても前面枠を本体枠に対し開くことができることから解錠操作が容易であり、然も、遊技機の前面枠と本体枠との間隙を利用した各種の不正操作具では解錠することが困難な防犯性の高い施錠装置を安価に提供することを目的としている。
【課題を解決するための手段】
【００１０】
上記課題を解決するために、この発明は、（１）縦長の取付板の側方に支持板が起立した基枠体の内側で、前記支持板の上部と下部に設けられた支軸を中心に回動可能に軸支された一対の板状の鉤部材が、前記支持板に沿って上下に摺動可能とされた連結杆の上下端部に連結され、前記取付板の中間部にシリンダ錠が取り付けられ、該シリンダ錠の錠軸に固定されたカム板が、前記連結杆と前記支持板との間で支持板に沿って上下に摺動可能とされて前記鉤部材の回動をロックする板状のロック部材のカム板用係合部に係合可能とされ、前記連結杆と前記ロック部材の間に引張バネが掛止され、前記取付板が本体枠に対し開閉可能とされた前面枠に取り付けられ、前記鉤部材の掛部と本体枠に取り付けられた受け金具を係合することで施錠される遊技機の施錠装置であって、前記一対の鉤部材の掛部に連続して前記受け金具と当接する当接部が形成されるとともに、前記鉤部材の一方には、前記ロック部材の係止部と係合する係合部と該係合部に隣接して滑合部が形成されており、前記ロック部材には、施錠に際し前記鉤部材の係合部が前記係止部と係合するまで前記滑合部を圧接したまま滑動させる圧接部が前記係合部に隣接して形成されてなることを特徴とする。
【００１１】
これによれば、一対の鉤部材がいずれも初期位置にある状態（鉤部材が掛部に受け金具が係合しておらず、引張バネの付勢力によって、ロック部材の圧接部が一方の鉤部材の滑合部に圧接している解錠状態）において、前面枠を本体枠に押圧すると、鉤部材の当接部が受け金具に当接し、鉤部材が押されて支軸を中心に施錠位置にまで回動する。その際、一方の鉤部材の係合部とロック部材の係止部とが係合するまで、鉤部材の滑合部はロック部材の圧接部に圧接したまま滑動し、掛部が受け金具に係合した施錠位置に至る。そして、引張バネの付勢力によりロック部材がロック方向に摺動し、その係止部と鉤部材の係合部が係合しロック状態となる。他方の鉤部材は施錠位置にまで回動し、その掛部に受け金具が係合した状態となる。
従って、この施錠装置によれば、確実な施錠を可能とし、しかも、施錠に際し、大きな力を必要とせず、静かであって、耐久性がある。仮に、前面枠を本体枠に対し強く閉鎖して衝撃が発生したとしても、確実にロック部材がロック方向に摺動し、係止部に係合部が係合して施錠されることになる。
【００１２】
このロックされた状態においては、前面枠と本体枠との間の僅かな間隙を利用して、先端にフックが形成された帯状で薄い鋼板や先端が折り曲げられてフックが形成されたピアノ線のような操作具を挿入し、鉤部材の掛部に引っ掛けて引っ張ることができたとしても、鉤部材はロック部材によってロックされたままで回動できず、解錠させることができない。また、ロック部材は、支持板と連結杆との間に配設されており、前記した操作具でロック部材を引っかけたりすることができない。そのため、前面枠は開放できず、前面枠の背面に配設された機器や部品への不正な操作や、これら機器や部品を改変したり、遊技機の勝率を制御するＲＯＭを勝率の高い裏ＲＯＭと交換したりするといった不正な操作を行うことが困難で、防犯性が高いものとなる。
【００１３】
一方、前記施錠状態において、キーをシリンダ錠に差し込み、キー操作によってカム板を解錠方向に回動させてシリンダ錠の解錠操作を行うと、カム板がロック部材のカム板用係合部と係合し、引張バネの付勢力に抗し、ロック部材を支持板に沿ってロック解除方向に摺動させ、ロック部材の係止部と鉤部材の係合部との係合が解除される。
そうすると、連結杆が引張バネの付勢力によって支持板に沿って摺動し、一方の鉤部材は、支軸を中心に解錠方向に回動し、他方の鉤部材も連結杆の摺動に伴って、支軸を中心に解錠方向に回動し、鉤部材はいずれも初期位置に戻り、鉤部材の掛部と受け金具との係合が外れ、解錠状態となる。その際、鉤部材の支軸を中心とする解錠方向への回動は、当接部が受け金具と当接して行われることから、反作用により前面枠と本体枠とが離れ、前面枠と本体枠との間に間隙を生じ、解錠が確認できるとともに前面枠を本体枠に対し開放させることが容易となる。
【００１４】
このように、施錠状態から解錠状態にするには、キー操作でロック部材の係止部と鉤部材の係合部との係合を解除さえすれば、その後はキー操作を中止してもよいことから、キーに加える力も小さく、しかも、短時間で済み、点検等のため遊技場に設置された多数の遊技機を解錠しても、手、指等へ負担は少ない。
また、この施錠装置は、部品点数も少なく、構造も簡単であって、安価でもある。
【００１５】
（２）前記ロック部材の係止部は、直線状傾斜縁を有しており、前記鉤部材の係合部は、前記ロック部材の係止部の直線状傾斜縁と合致して係合する直線状傾斜縁を有していることが好ましい。
これによれば、施錠時は、ロック部材の係止部の直線状傾斜縁に鉤部材の係合部の直線状傾斜縁が合致して面接触した状態での係合に至るまで、図１２に示すように、鉤部材を支軸を中心に施錠方向に微小角度傾動させようとする力が発揮され、鉤部材の掛部と受け金具の係合ガタを減らすように働き、確実な施錠状態にすることができる。
【００１６】
一方、前記施錠状態において、キー操作によってシリンダ錠の解錠操作を行なって、ロック部材を支持板に沿ってロック解除方向に僅かに摺動させるだけで、ロック部材の係止部の直線状傾斜縁に鉤部材の係合部の直線状傾斜縁が合致して面接触した係合状態から、ロック部材の係止部の直線状傾斜縁に鉤部材の係合部の直線状傾斜縁の先端部が線接触した係合した状態となり（図１３参照）、その接触係合位置は移動しながら鉤部材の係合部との係合状態が解除されるまで継続することになり、キー操作を極めて軽快に行うことができる。
【００１７】
このように、キー操作によって、ロック部材が支持板に沿ってロック解除方向に摺動するのに伴って、ロック部材の係止部と鉤部材の係合部との係合状態が解除されるまで、ロック部材の係止部の直線状傾斜縁と鉤部材の係合部の直線状傾斜縁との接触係合位置が順次移動することで、引張バネの付勢力が連結杆を介して一対の鉤部材に働き、一対の鉤部材はその当接部に受け金具が当接し始めながら支軸を中心に傾き、鉤部材の微小角度傾動に伴う当接部と受け金具との当接の反作用により前面枠と本体枠の間に自然と僅かな間隙が生じる。
そして、ロック部材の係止部と鉤部材の係合部の係合状態が解除されるまでロック部材をロック解除方向に更に摺動すると、引張バネがより伸張し、その付勢力が強まり、連結杆が支持板に沿って摺動し、鉤部材は支軸を中心に解錠方向に回動して初期位置にまで戻り、その際の鉤部材の回動に伴う当接部と受け金具との当接の反作用により、更に前面枠と本体枠の間の間隙が広がる。
【００１８】
なお、ロック部材が、ロック解除方向に摺動して、その係止部と鉤部材の係合部との係合状態が解除されれば、その後、キー操作を中止（例えば、キーから手を放しても）しても、引張バネの付勢力により鉤部材が支軸を中心に解錠方向に回動し、他方の鉤部材は連結杆の摺動に伴って、支軸を中心に解錠方向に回動し、鉤部材はいずれも初期位置に戻り、鉤部材の掛部と受け金具との係合が外れ、解錠状態となる。
このような鉤部材の支軸を中心とする解錠方向への微小角度傾動とそれに続く回動によって、前面枠と本体枠とが自然と離れ、前面枠と本体枠との間に生じた間隙によって解錠が確認できるとともに前面枠を本体枠に対し容易に開放させることができることになる。
キー操作によるロック部材の支持板に沿ったロック解除方向への摺動に始まるこれらの一連の解錠動作は、実際には、滑らかにかつ瞬時に行われる。
【００１９】
（３）前記鉤部材の滑合部が前記支軸を中心とする所定半径の円弧状凸部であり、前記ロック部材の圧接部が前記滑合部が滑合する同半径の円弧状凹部であることが好ましい。
これによれば、施錠・解錠時における鉤部材の支軸を中心とする回動において、ロック部材の圧接部に対する鉤部材の滑合部の滑動が円滑に行なわれることになる。
【００２０】
（４）前記受け金具が円柱状ピンであって、前記鉤部材の掛部が前記受け金具を係止するＵ字形状とされていることが好ましい。
これによれば、鉤部材の掛部と受け金具とをガタの極めて少ない状態で係止することができる。
【００２１】
（５）前記支持板の上下部には、前記受け金具を受け入れる凹部が形成されていることが好ましい。
これによれば、施錠時に、受け金具が支持板の凹部に受け入れられた状態で鉤部材の掛部で受け金具を係合することになり、例えば、前面枠を無理に持ち上げて、鉤部材の掛部と受け金具との係合を外そうとしても、凹部が受け金具と当接して持ち上げをすることができない。そのため、不正操作を防止できることにもなる。
【発明の効果】
【００２２】
この発明の施錠装置は、以上説明したように構成されているので、施錠装置に必要とする部品点数が少なく、簡単な構造であって、安価でもある。そして、施錠装置を取着した前面枠を受け金具を取り付けた本体枠に対し閉鎖すると、鉤部材の掛部が受け金具に係合するに際し、鉤部材の当接部が受け金具に当接し鉤部材が支軸を中心として回動することから、一方の鉤部材の滑動部がロック部材の圧接部に圧接したまま滑動した後、ロック部材の係止部に鉤部材の係合部が係合することで、鉤部材の掛部が受け金具と係合した施錠状態となるものであって、確実な施錠を可能とし、しかも、施錠に際し、大きな力を必要とせず、静かであって、耐久性がある。そして、施錠状態において、遊技機の前面枠と本体枠との間隙を利用した各種の不正操作具によって解錠することは困難であり、防犯性が高い。また、キーを解錠方向に回動させるだけで容易に解錠でき、その後は、指をキーから放して前面枠を本体枠に対し開くことができることから解錠操作が容易である。
【００２３】
このように、施錠状態から解錠状態にするのには、キー操作でロック部材の係止部と鉤部材の係合部との係合を解除さえすればよいことから、キーに加える力も小さく、しかも、短時間で済み、点検等のため遊技場に設置された多数の遊技機を解錠しても、手、指等へ負担は少ない。
【発明を実施するための最良の形態】
【００２４】
以下、発明を実施するための最良の形態を示し、さらに詳しくこの発明について説明する。もちろんこの発明は以下の実施の形態によって限定されるものではない。
図１は、この発明の遊技機の施錠装置の一実施の形態を示す正面図、図２は右側面図、図３は背面図、図４は左側面図、図５は右側面分解図、図６は背面分解図である。この施錠装置は、パチスロ機に使用されるものとして図示されている。
【００２５】
図に示されているように、施錠装置１は、縦長の取付板２の側方に支持板３が起立した断面Ｌ字状の基枠体４の内側において、支持板３の上部と下部に設けられた支軸５、５を中心に回動可能に軸支された一対の板状の鉤部材６、７が、支持板３に沿って上下に摺動可能とされた帯状の連結杆８の上下端部に、連結ピン９、９で連結されている。鉤部材６、７は解錠位置（初期位置）と施錠位置との間で回動可能とされている。また、連結杆８と支持板３との間にリセット作動杆１１、ロック部材１２が配設され、それぞれ支持板３に沿って上下に摺動可能に構成されている。
【００２６】
基枠体４は、金属製の板材を折り曲げ加工して形成されたもので、支持板３は上下部と中間部が幅広となっている。支持板３の中間部は縦長の開口窓１３が形成されており、取付板２が外側（図６において右方）に延設され幅広の中間部を形成している。
取付板２の中間部には、シリンダ錠１５が、そのフランジ部１６を介してネジ止めされており、シリンダ錠１５の錠軸１７が基枠体４の内側に突出し、錠軸１７には第１突部１８ａと第２突部１８ｂを備えたカム板１８が固定されている。取付板２の中間部の右側縁にはガイド片１９が、後方に向けて垂直に起立して形成されている。取付板２には、複数の止めネジ挿通孔２０が穿設されており、施錠装置１がネジ等でパチスロ機の前面枠の自由端の背面に取り付けられる。
【００２７】
また、支持板３は、開口窓１３に隣接して支持片２２が外側に折り曲げ加工されている。支持片２２には、リセットスイッチ２３が取り付けられる。
支持板３の中間部より上方側に縦長の逃がし窓２４が穿設され、さらに上部にはバネ掛止部２５が設けられている（図４、図５参照）。逃がし窓２４を介して、リセット作動杆付勢用の引張バネ２６（図においてはコイルスプリングで示している。）が支持板３のバネ掛止部２５とリセット作動杆１１のバネ掛止部２７とに掛止されている。
【００２８】
支持板３の上下の幅広部の後端縁には、受け金具２８、２８（図７参照）を受け入れる凹部２９、２９が形成されている。支持板３には、連結杆８と鉤部材６、７を結合したピン９、９の逃げ孔３０、３０が設けられている。
また、支持板３の下方の凹部２９の下方位置に、湾曲した当接案内面を有するプラスチック製の当接部材３１が取り付けられている。
【００２９】
連結杆８は、金属製の帯状の板材を中間段部が形成されるように折り曲げ加工したもので、長孔３３、３３、３３、３３が穿設され、上から順にピン５、３４、３４、５がそれぞれ長孔３３、３３、３３、３３を通って支持板３に固定されており、連結杆８が支持板３に沿って上下にピンと長孔とによって定まった距離を上下に摺動する。ピン５、５は、鉤部材６、７を回動可能に軸支する支軸としても機能する。
中間段部には、縦長の逃がし窓３５が穿設され、カム板１８の反時計または時計方向への回動を可能とする。
【００３０】
連結杆８の下部にスリット３６とバネ掛止部３７が形成されている。スリット３６を通して、後述するロック部材１２に設けられたバネ掛止孔を有する突片３９を内側に突出させ、引張バネ４０（図においてはコイルプリングで示している。）を突片３９のバネ掛止孔と連結杆８のバネ掛止部３７に掛止させることで、連結杆８が上方に付勢される。連結杆８は、後述するロック部材１２、リセット作動杆１１を覆うことができる横幅となっており、不正操作具をロック部材１２等にダイレクトにアクセスできないようになっている。
【００３１】
鉤部材６、７は、金属製の板材が加工されたものである。
上方の鉤部材７には、施錠時に受け金具２８を係合するＵ字状の掛部７ａが設けられており、掛部７ａから連続して受け金具２８との当接部７ｂが形成されている。
同様に下方の鉤部材６には、施錠時に受け金具２８を係合するＵ字状の掛部６ａが設けられており、掛部６ａから連続して受け金具２８との当接部６ｂが形成されている。さらに、この下方の鉤部材６は、当接部６ｂに隣接した箇所が段状に切り欠かれてロック部材１２との係合部６ｃが形成されている。係合部６ｃは、直線状傾斜縁を有する。そして、鉤部材６の係合部６ｃに隣接する円弧状縁の箇所はロック部材１２の圧接部１２ａとの滑合部６ｄとなっている。円弧状縁の中心は、鉤部材６の回動中心とは偏心した位置に設定されているが、これに限られるものではない。
【００３２】
ロック部材１２は、金属製の板材が中間やや上方位置で段状に折り曲げ加工されて、上方板部と下方板部が形成され、支持板３に沿ってロック解除位置とロック位置との間で上下に摺動できるようにしたものである。
下方板部の下端側は、圧接部１２ａとそれに隣接する箇所が段状に切り欠かれて係止部１２ｂが形成されている。圧接部１２ａは、図５において右斜め上に向かう直線状傾斜縁となっているがこれに限られるものではない。係止部１２ｂは、ロック部材１２の摺動方向に対し稍左に傾いた（圧接部と係合部の交差箇所から摺動方向に対し外側へなす振れ角θ）直線状傾斜縁を有している（図１１（ａ）参照）。ロック部材１２の係止部１２ｂの直線状傾斜縁は、後述するように施錠時に下方の鉤部材６の係合部６ｃの直線状傾斜縁と合致して面接触した状態で係合し、鉤部材６の解錠方向への回動を阻止する。
【００３３】
下方板部の上部側には、バネ掛止孔を有する突片３９が支持板３の内側に突出するように直角に折り曲げ形成されている。突片３９を連結杆８のスリット３６から内側に突出させ、引張バネ４０を突片３９のバネ掛止孔と連結杆８のバネ掛止部３７に掛止させることで、ロック部材１２が下方に付勢される。また、下方板部には長孔４３が穿設され、支持板３に固定されたピン３４により、ロック部材１２の摺動距離が定められる。
上方板部には、カム板１８の第１突部１８ａが下方から係合する係合孔４４が穿設されている。また、後方に向かう張出片４５が設けられている。張出片４５は、例えば、遊技場に設置したパチスロ機のシリンダ錠１５が故障し、キー操作では解錠ができなくなった場合等に、隣のパチスロ機を解錠し、解錠したパチスロ機を取り外し、空いたスペースを利用して、故障したパチスロ機の裏側に手を回し、張出片４５を手動で操作して、施錠状態を強制的に解除する等のトラブル回避に使用される。
【００３４】
リセット作動杆は、金属製の板材が中間部で段状に折り曲げ加工されて、上方板部と下方板部とされ、支持板３に沿って上下に摺動できるようにしたものである。
上方板部には前記したようにバネ掛止部２７が形成され、リセット作動杆付勢用の引張バネ２６が支持板３のバネ掛止部２５との間に掛止され、リセット作動杆１１が上方に付勢される。また、上方板部には長孔４７が穿設され、支持板３に固定されたピン３４により、リセット作動杆１１が、リセット作動杆付勢用の引張バネ２６に抗して上下に所定距離摺動可能となっている。
【００３５】
下方板部には、下方において側方が直角に折り曲げられて外側に突出したリセットスイッチ作動片４６が形成されている。また、下方板部には、カム板１８の第２突部１８ｂが上方から係合する係合孔４８と、第１突部１８ａの逃がし孔４９が穿設されている。
【００３６】
リセットスイッチ２３は、リセットスイッチ作動片４６を検出して、パチスロ機のリセット信号を出力するもので、例えば、光電スイッチ等の非接触スイッチが採用できるが、これに限られるものではない。
【００３７】
図７（ａ）に受け金具の左側面図、（ｂ）に正面図を示す。
受け金具２８、２８は、ピン状体で、鉤部材６、７に対応する位置で基板５１に固定されている。基板５１には、複数の止めネジ挿通孔５２が穿設されており、ネジ等でパチスロ機の本体枠に取り付けられる。図７では受け金具２８は、円柱状ピンとして示している。受け金具が円柱状ピンであれば、施錠によって鉤部材の当接部との当接を繰り返しても、受け金具、鉤部材の摩耗が少なく、施錠時に受け金具と鉤部材の掛部との係合が確実であり、又、ガタが少ない利点がある。
基板５１の下端には、支持板３に取り付けられたプラスチック製の当接部材３１の受部５３が設けられている。受部５３の前方部は、平坦部５３ａに引き続く傾斜面部となっている。
【００３８】
基板５１には、断面Ｌ字状の側縁５４が形成されている。この側縁５４は、基板５１を補強するとともに、前面枠に取り付けられた施錠装置１と、本体枠に取り付けられた受け金具２８とが施錠状態となったとき、後述するように取付板２と側縁５４とが近接することで、取付板２と基板５１との間から不正操作具を挿入することを困難とする。
【００３９】
この施錠装置１は、以下のようにして組み立てることができる。
基枠体４の内側で支持板３に沿ってリセット作動杆１１、ロック部材１２を所定位置に配設し、連結ピン９、９で鉤部材６、７が連結された連結杆８を重ね合わせる。これによって、ロック部材１２の突片３９が連結杆８のスリット３６を通して基枠体４の内側に突出された状態となる。
そして、鉤部材６、７の支軸挿通孔、リセット作動杆１１の長孔４７、ロック部材１２の長孔４３、連結杆８の長孔３３、３３、３３、３３にピン５、５、３４、３４を挿通し、支持板３に固定して、鉤部材６、７をピン（支軸）５、５に回動可能とするとともに、連結杆８、リセット作動杆１１、ロック部材１２を上下方向に摺動可能とする。
【００４０】
そして、カム板１８が錠軸１７に固定されたシリンダ錠１５を、取付板２の中間部に穿設されたシリンダ錠挿通孔（図示せず）に挿通し、カム板１８の第１突部１８ａをロック部材１２の係合孔４４に、第２突部１８ｂをリセット作動杆１１の係合孔４８に向かい合わせるようにして、フランジ部１６を取付板２にネジ固定する。
そして、引張バネ４０を突片３９のバネ掛止孔と連結杆８のバネ掛止部３７に掛止させる。
また、リセット作動杆付勢用の引張バネ２６を支持板３のバネ掛止部２５との間に掛止する。
なお、リセットスイッチ２３は、支持板３の支持片２２にネジ等で固定する。
【００４１】
このような構造の施錠装置１を、図８に示されるようにパチスロ機の前面枠５６の自由端の背面に、取付板２の止めネジ挿通孔２０を利用してネジ（図示せず）で固定し、一方、受け金具２８、２８が施錠装置１の鉤部材６、７に対応するように位置決めして、基板５１を本体枠５７にネジ（図示せず）で固定する。図８においては、説明の便宜上、受け金具２８、２８を実線で示し、基板５１、受部５３等は２点鎖線で示している。
【００４２】
前面枠５６が開放された状態において、引張バネ４０の付勢力により、連結杆８は、ピン５、３４、３４、５がその長孔３３、３３、３３、３３の下端に当接した位置にあり、鉤部材６、７は初期位置（すなわち解錠位置）にある。鉤部材６、７の当接部６ｂ、７ｂは、支持板３の凹部２９、２９を塞いだ状態となっている。そして、下方の鉤部材６の滑合部６ｄにロック部材１２の圧接部１２ａが圧接している。
本体枠５７に対して前面枠５６を閉鎖するため、蝶番を支点として前面枠５６を押圧して回動させる。前面枠５６は、取り付けられている各種機器の重量が加わることで、自由端側が若干下がった状態にあるが、支持板３の当接部材３１が、本体枠５７に固定された基板５１の受部５３に導かれ、前面枠５６が上方に持ち上げられる。
【００４３】
そして、鉤部材６、７の当接部６ｂ、７ｂが受け金具２８、２８に当接すると（図９参照）、鉤部材６、７が押されて支軸５、５を中心に反時計方向に回動し始める。その際、鉤部材６の滑合部６ｄはロック部材１２の圧接部１２ａに圧接したまま滑動する。より具体的には、鉤部材６の滑合部６ｄとロック部材１２の圧接は厚さ方向の線接触となっている（図９、図１１（ａ）参照。なお、図１１では説明の便宜上他の部材は省略し、下方の鉤部材６とロック部材１２のみの関係を示している。）。鉤部材６が回動するに伴い、ロック部材１２の圧接部１２ａとの圧接位置は順次ずれて行き（図１１（ｂ）参照）、ロック部材１２は引張バネ４０の付勢力に抗し上方に稍摺動する。
【００４４】
さらに、前面枠５６が本体枠５７に閉鎖されるまで前面枠５６を押圧すると、支持板３の凹部２９、２９が受け金具２８、２８を受け入れ、下方の鉤部材６の滑合部６ｄがロック部材１２の圧接部１２ａとの圧接の終端（交差箇所）を過ぎ、下方の鉤部材６の係合部６ｃとロック部材２の係止部１２ｂとが係合することになる。この係合に際し、引張バネ４０の付勢力によりロック部材１２が下方（ロック方向）に摺動し、その係止部１２ｂに下方の鉤部材６の係合部６ｃが係合し、ロック状態となる（図１０、図１１（ｃ）参照）。より具体的には、施錠時に、ロック部材１２の係止部１２ｂの直線状傾斜縁に下方の鉤部材６の係合部６ｃの直線状傾斜縁が合致して面接触した状態での係合に至るまで、鉤部材６を支軸５を中心に反時計方向に微小角度傾動させようとする力が発揮され、鉤部材６の掛部６ａと受け金具２８との係合のガタを減らすように働き、確実な施錠状態にすることができる（図１２参照）。
【００４５】
上方の鉤部材７は、その当接部７ｂに受け金具２８が当接することで施錠位置にまで回動し、その掛部７ａに受け金具２８が係合した状態となる。
鉤部材６、７の初期位置から施錠位置への回動に伴い、連結杆８は、引張バネ４０の付勢力に抗し下方に摺動する。
【００４６】
前面枠５６が本体枠５７に閉鎖された段階においては、支持板３に設けられた当接部材３１が、本体枠５７に固定された基板５１の受部５３の平坦部５３ａに支持されており、前面枠５６が所定の位置に正確に維持される。
また、前面枠５６が本体枠５７に閉鎖された施錠状態では、支持板３の凹部２９、２９が受け金具２８、２８を受け入れていることから、前面枠５６を無理に持ち上げて、鉤部材６、７の掛部６ａ、７ａと受け金具２８、２８との係合を外そうとしても、凹部２９、２９の下縁が受け金具２８、２８に当接して、持ち上げることができず、係合を外すことができない。
【００４７】
このロックされた状態においては、前面枠と本体枠との間の僅かな間隙を利用して、先端にフックが形成された帯状で薄い鋼板や先端が折り曲げられてフックが形成されたピアノ線のような操作具を挿入し、鉤部材６の掛部６ａに引っ掛けて引っ張っることができたとしても、下方の鉤部材６はロック部材１２によってロックされたままで解錠方向へ回動できず、解錠させることができない。また、ロック部材１２は、支持板３と連結杆８との間に配設されており、前記した操作具をロック部材１２に引っかけたりすることができない。そのため、前面枠は不正に開放できず、前面枠５６の背面に配設された機器や部品への不正な操作や、これら機器や部品を改変したり、遊技機の勝率を制御するＲＯＭを勝率の高い裏ＲＯＭと交換したりするといったこれまでの施錠装置で行われてきたような不正な操作を行うことが困難で、防犯性が高いものとなる。
【００４８】
前記施錠状態において、キー（図示せず）をシリンダ錠１５に差し込み、キー操作によりカム板１８を解錠方向（図３において反時計方向）に回動させると、概略、カム板１８の第１突部１８ａがロック部材１２の係合孔４４の上縁に下方から係合し、ロック部材１２が引張バネ４０の付勢力に抗し上方に摺動し、ロック部材１２の係止部１２ｂと鉤部材６の係合部６ｃとの係合が解除され、連結杆８が引張バネ４０の付勢力によって支持板３に沿って上方へ摺動し、下方の鉤部材６は支軸５を中心に解錠方向（図１０において時計方向）に回動する。この時、上方の鉤部材７も連結杆８の摺動に伴って、支軸５を中心に解錠方向に回動し、鉤部材６、７はいずれも初期位置に戻り、鉤部材６、７の掛部６ａ，７ａと受け金具２８、２８との係合が外れた解錠状態となる。
【００４９】
より具体的には、施錠状態において、キー操作によってシリンダ錠の解錠操作を行なって、ロック部材１２を支持板３に沿って上方（ロック解除方向）に僅かに摺動させるだけで、ロック部材１２の係止部１２ｂの直線状傾斜縁に下方の鉤部材６の係合部６ｃの直線状傾斜縁が合致して面接触した状態から、ロック部材１２の係止部１２ｂの直線状傾斜縁に下方の鉤部材６の係合部６ｃの直線状傾斜縁の先端部が鉤部材６の厚さ方向に線接触して係合した状態となり（図１３参照）、その線接触係合位置は順次移動しながら鉤部材６の係合部６ｃとの係合状態が解除されるまで継続することになり、キー操作を極めて軽快に行うことができる。
【００５０】
このように、キー操作によって、ロック部材１２が支持板３に沿って上方（ロック解除方向）に摺動するのに伴って、ロック部材１２の係止部１２ｂと下方の鉤部材６の係合部６ｃとの係合状態が解除されるまで、ロック部材１２の係止部１２ｂの直線状傾斜縁と下方の鉤部材６の係合部６ｃの直線状傾斜縁との線接触係合位置が順次移動することで、引張バネ４０の付勢力が連結杆８を介して鉤部材６、７に働き、鉤部材６、７はその当接部６ｂ、７ｂに受け金具２８、２８が当接し始めながら支軸５、５を中心に時計方向に傾き、鉤部材６、７の微小角度傾動に伴う当接部６ｂ、７ｂと受け金具２８、２８との当接の反作用により前面枠５６と本体枠５７の間に自然と僅かな間隙が生じる。
【００５１】
そして、ロック部材１２が、その係止部１２ｂと下方の鉤部材６の係合部６ｃとの係合状態が解除されるまで上方（ロック解除方向）に摺動すると、引張バネ４０が伸張し、その付勢力が強まり、連結杆８が支持板３に沿って更に摺動し、鉤部材６、７は支軸５、５を中心に解錠方向に回動して初期位置にまで戻り、その際の鉤部材の回動に伴う当接部６ｂ、７ｂと受け金具２８、２８との当接の反作用により、更に前面枠と本体枠の間の間隙が広がる。
【００５２】
なお、ロック部材１２が、上方（ロック解除方向）に摺動して、その係止部１２ｂと鉤部材６の係合部６ｃとの係合状態が解除されれば、その後、キー操作を中止（例えば、キーから指を放しても）しても、引張バネ４０の付勢力により鉤部材６が支軸５を中心に解錠方向に回動し、上方の鉤部材７は連結杆８の摺動に伴って、支軸５を中心に解錠方向に回動し、鉤部材６、７はいずれも初期位置に戻り、鉤部材６、７の掛部６ａ、７ａと受け金具２８、２８との係合が外れ、解錠状態となる。
このような鉤部材６、７の支軸５、５を中心とする解錠方向への微小角度傾動とそれに続く回動によって、前面枠５６と本体枠５７とが自然と離れ、前面枠５６と本体枠５７との間に生じた間隙によって解錠が確認できるとともに前面枠５６を本体枠５７に対し容易に開放させることができることになる。
キー操作によるロック部材１２の支持板３に沿った上方（ロック解除方向）への摺動に始まるこれらの一連の解錠動作は、実際には、滑らかにかつ瞬時に行われる。
【００５３】
このように、施錠状態から解錠状態にするのには、キー操作でロック部材１２の係止部１２ｂと下方の鉤部材６の係合部６ｃとの係合を解除さえすればよいことから、キーに加える力も小さく、しかも、短時間で済み、点検等のため遊技場に設置された多数の遊技機を解錠しても、手、指等へ負担は少ない。
【００５４】
また、施錠状態において、キーをシリンダ錠１５に差し込み、カム板１８を図３における時計方向に回動させると、カム板１８の第２突部１８ｂがリセット作動杆１１の係合孔４８の下縁に上方から係合し、リセット作動杆１１をリセット作動杆付勢用の引張バネ２６の付勢力に抗し下方に摺動させると、リセットスイッチ２３がリセットスイッチ作動片４６を検出し、リセット信号が出力される。リセット信号によってパチスロ機のリセットが行われる。キーによるリセット操作を解除すると、リセット作動杆１１はリセット作動杆付勢用の引張バネ２６の付勢力により、その長孔４７の下縁にピン３４が当接した初期位置に復帰する。
【００５５】
こような施錠装置は、部品点数も少なく、構造も簡単であって、安価であり、前面枠の自由端の背面への取り付け作業も容易である。また、鉤部材が解錠位置にあるときは、鉤部材は支持板から後方に出っ張ることがなく、各種の機器や部品の取り付け・調整、交換等の作業の支障にならない利点もある。
【００５６】
施錠装置としては、前記した構造に限定されるものではなく、種々の構造が採用できる。
図１４は、施錠状態において、シリンダ錠の故障等によりキー操作では解錠できないトラブルが発生した場合、強制的にロック部材１２によるロック状態をパチスロ機の外部から解除することができるようにした施錠装置６１の左側面図である。
そのために、ロック部材１２の張出片４５に遠隔操作用のワイヤー６２の一端が固定され、案内チューブ６３が支持板３に固定されている。
【００５７】
図示していないが、ワイヤー６２の他端に指かけを設け、パチスロ機の外部から牽引してロック部材によるロック状態を強制的に解除するようにしてもよいし、他端をソレノイド等によって牽引してロック状態を強制的に解除するようにしてもよい。ソレノイド等を使用する場合は、集中管理室等での遠隔操作が可能であって、キーやマスターキーを使用しないでも遊技場に設置された多数のパチスロ機の解錠が制御可能となる。解錠操作を遠隔操作によって行う場合は、キーやマスターキーを別途保管、管理しておけばよく、キーの不正入手を防止し易く、防犯性を高めることができる。
その他の構造は、図１に示す施錠装置１と同様であることから説明、及び、他の図面を省略する。
【００５８】
図１５は、連結杆を複数の部材から構成した施錠装置７１の右側面図である。
図１５に示されるように連結杆７２は、中間がロッド７２ａで連結されたものである。受け金具の基板への設置間隔が異なる施錠装置を製造する場合、基枠体とロッドを変えるだけで、その他の部品を共用できる利点がある。
その他の構造は、図１に示す施錠装置１と同様であることから説明、及び、他の図面を省略する。
【００５９】
図１５に示す施錠装置において、ロッドを分断し、ターンバックルで連結した構造とすれば、施錠杆の長さの微調節が可能となる。
また、ターンバックルの長さと、基枠体を交換すれば、受け金具の基板への設置間隔が異なる施錠装置を製造する場合、その他の部品を共用できる利点がある。
【００６０】
図１６は、図１に示す施錠装置１とは、鉤部材とロック部材の構造が異なるものであって、下部の鉤部材とロック部材の部分のみを示す概略説明図である。
図１６に示す下方の鉤部材７５は、滑合部７５ａが支軸を中心とする所定半径の円弧状凸部となっており、ロック部材７６の圧接部７６ａは滑合部７５ａが滑合する同半径の円弧状凹部となっている。滑合部７５ａと圧接部７６ａがこのような関係となっていると、施錠または解錠時に、鉤部材７５の細幅状の滑合面とロック部材７６の細幅状の圧接面とが面接触した状態で、鉤部材７５が支軸を中心に回動することから、鉤部材７５の回動が円滑である。そのため、滑合部７５ａと圧接部７６ａの摩耗が少なく、耐久性に優れる。
ロック部材７６の係止部７６ｂは、その摺動方向に対し稍左に傾いた（圧接部と係合部の交差箇所から摺動方向に対し外側へなす振れ角θ）直線状傾斜縁を有しており、鉤部材７５の係合部７５ｂは、ロック部材７６の係止部７６ｂと合致して係合する鉤部材７５の支軸を中心とする半径方向の直線状傾斜縁を有している。７７は、支軸挿通孔である。係止部７６ｂと係合部７５ｂがこのような関係となっていると、施錠時のロック部材の係止部７６ｂと鉤部材７５の係合部７５ｂとの係合が滑らかとなる。
【００６１】
なお、この鉤部材７５には、掛部７５ｃおよび当接部７５ｄに相当する箇所が折り曲げ加工されて細幅の湾曲面が形成されている（図１７参照）。この湾曲面は、鉤部材７５の補強と、受け金具との当接等において鉤部材７５、受け金具２８の摩耗を軽減するのに有効である。図示していないが、上方の鉤部材の同様に細幅の曲面が形成されている。
その他の構造は、図１に示す施錠装置１と同様であることから説明、及び、他の図面を省略する。
【００６２】
図１８は、ロック部材７８の係止部７８ａが直線状傾斜縁で形成されたものである点が、図１６のロック部材７６の係止部７６ｂが段状となっているものとは異なる。ロック部材７８と鉤部材７５との係合時には、ロック部材７８は長孔７８ｂに挿通して支持板に固定されたピンによって下方への摺動位置（ロック位置）が決まっている。
その他は、図１６に示す構造と相違がないことから、詳細な説明を省略する。
【００６３】
以上説明したようなロック部材の係止部の直線状傾斜縁の摺動方向に対し稍左に傾いた角度（圧接部と係合部の交差箇所から摺動方向に対し外側へなす振れ角θ）は、引張バネの弾発力、鉤部材の係合部と面接触するロック部材の係止部の直線状傾斜縁の長さ、鉤部材の係合部の直線状傾斜縁と回動中心との関係等を勘案して適宜設定すればよいが、４５゜以下であることが好ましい。
【００６４】
図１９に示すものは、図１６の構造とは、ロック部材７９の係止部７９ａが、摺動方向と同方向の直線状縁を有しており、下方の鉤部材８０の係合部８０ａは、ロック部材７９の係止部７９ａの直線状縁と合致して係合する直線状縁を有している点が異なるものである。
【００６５】
鉤部材の掛部が受け金具を下方から係合するものに限られず、図２０に示すような鉤部材の掛部が受け金具を上方から係合するようにしてた施錠装置８１であってもよい。従って、施錠に際し、鉤部材は支軸を中心に時計方向に回動する。解錠に際しては、キー操作によりロック部材が下方に摺動し、鉤部材は反時計方向に回動することになる。その他は、図１に示す施錠装置と同様なことから、詳細な説明は省略する。
【００６６】
施錠装置としては、パチスロ機に適したものとして説明したが、これに限られず、リセット作動杆に代えパチンコ機用のガラス枠解錠操作杆を採用することで、パチンコ機用の施錠装置とすることができることはいうまでもない。
【図面の簡単な説明】
【００６７】
【図１】この発明の施錠装置の一実施の形態を示す正面図である。
【図２】図１に示す施錠装置の右側面図である。
【図３】図１に示す施錠装置の背面面図である。
【図４】図１に示す施錠装置の左側面図である。
【図５】図１に示す施錠装置の右側面分解図である。
【図６】図１に示す施錠装置の背面分解図である。
【図７】図１に示す施錠装置と係合する受け金具の一実施の形態を示し、（ａ）は左側面図、（ｂ）は正面図である。
【図８】図１の施錠装置をパチスロ機に取り付けた状態を示す説明図である。
【図９】図８での施錠装置の施錠開始時を示す説明図である。
【図１０】図８での施錠装置の施錠状態を示す説明図である。
【図１１】図１の施錠装置のロック部材と下方の鉤部材の施錠動作を示す説明図で、（ａ）は初期状態（解錠状態）、（ｂ）は鉤部材の回動中の状態、（ｃ）は施錠状態を示す。
【図１２】図１の施錠装置のロック部材と下方の鉤部材とが係合に移行する際の拡大部分図で、実線は係合移行中、一点鎖線は係合完了を示す。
【図１３】図１の施錠装置のロック部材と下方の鉤部材とが係合を解除する際の部分拡大部分図で、実線は係合時、一点鎖線は係合解除途中を示す。
【図１４】この発明の施錠装置の他の実施の形態を示す左側面図である。
【図１５】この発明の施錠装置のさらに他の実施の形態を示す右側面図である。
【図１６】この発明の施錠装置のさらに他の実施の形態におけるロック部材と下方の鉤部材の関係構造を示す概略的部分説明図で、（ａ）は初期状態（解錠状態）、（ｂ）は施錠状態を示す。
【図１７】図１６に示す下方の鉤部材の斜視図である。
【図１８】この発明の施錠装置のさらに他の実施の形態におけるロック部材と下方の鉤部材の関係構造を示す概略的部分説明図で、（ａ）は初期状態（解錠状態）、（ｂ）は施錠状態を示す。
【図１９】この発明の施錠装置のさらに他の実施の形態におけるロック部材と下方の鉤部材の関係構造を示す概略的部分説明図で、（ａ）は初期状態（解錠状態）、（ｂ）は施錠状態を示す。
【図２０】この発明の施錠装置のさらに他の実施の形態を示す右側面図である。
【符号の説明】
【００６８】
１  施錠装置
２  取付板
３  支持板
５  支軸
６、７  鉤部材
６ａ、７ａ  掛部
６ｂ、７ｂ  当接部
６ｃ  係合部
６ｄ  滑合部
８  連結杆
１２  ロック部材
１２ａ  圧接部
１２ｂ  係止部
２８  受け金具
２９  凹部
４０  引張バネ
【図１】
2008011881.tif 000003
【図２】
2008011881.tif 000004
【図３】
2008011881.tif 000005
【図４】
2008011881.tif 000006
【図５】
2008011881.tif 000007
【図６】
2008011881.tif 000008
【図７】
2008011881.tif 000009
【図８】
2008011881.tif 000010
【図９】
2008011881.tif 000011
【図１０】
2008011881.tif 000012
【図１１】
2008011881.tif 000013
【図１２】
2008011881.tif 000014
【図１３】
2008011881.tif 000015
【図１４】
2008011881.tif 000016
【図１５】
2008011881.tif 000017
【図１６】
2008011881.tif 000018
【図１７】
2008011881.tif 000019
【図１８】
2008011881.tif 000020
【図１９】
2008011881.tif 000021
【図２０】
2008011881.tif 000022